(57)【要約】【課題】遠隔地に設置されるＩＥＥＥ１３９４用のバスリピータ装置のステータス情報をユーザの近くに設置された装置によって収集・表示すること。【解決手段】バスの通信路を集線して接続するハブ装置１０は、長距離ポート１１でバスリピータ装置２０の長距離ポート２１と接続し、一定間隔で全てのバスリピータ装置２０へ通知要求を発送してステータス情報を収集し端末装置３０に転送して表示を指示する監視部１４を有し、バスリピータ装置２０は、通知要求を受けると電源切換部２５と温度計測部２６から電源・温度に関する情報を収集してステータス情報を作成し返送するバスリピータ制御部２７を有し、遠距離に設置されるバスリピータのステータス情報を端末装置３０に表示し、ユーザがその場で温度や電源の異常を早期に確認できるようにした。【選択図】　　　図１
2004072211.tif 000002
【特許請求の範囲】
【請求項１】
バスの通信路を集線して接続するハブ装置と、ハブ装置と離れて設置されるバス接続装置とハブ装置との接続を中継するバスリピータ装置とを含むステータス情報収集システムであって、
前記バスリピータ装置は、ハブ装置からの通知要求に従って自装置内の電源使用情報と温度情報とを含むステータス情報を生成して返送するバスリピータ制御部を有し、
前記ハブ装置は、接続する全てのバスリピータ装置に対して通知要求を送り返送されたステータス情報を収集する監視部を有することを特徴とするステータス情報収集システム。
【請求項２】
バスの通信路を集線して接続するハブ装置と、ハブ装置と離れて設置されるバス接続装置とハブ装置との接続を中継するバスリピータ装置とを含むステータス情報収集システムであって、
前記バスリピータ装置は、長距離接続するための長距離ポートでハブ装置と接続し、通常の距離で接続するための通常ポートでバス接続装置と接続し、ハブ装置からの通知要求に従って自装置内の電源使用情報と温度情報とを含むステータス情報を生成して返送するバスリピータ制御部を有し、
前記ハブ装置は、長距離ポートで各バスリピータ装置と接続し、一定間隔で接続する全てのバスリピータ装置に対して通知要求を送り返送されたステータス情報を収集する監視部を有することを特徴とするステータス情報収集システム。
【請求項３】
前記ハブ装置はＩＥＥＥ１３９４規格のバスを接続し、前記通知要求はＩＥＥＥ１３９４規格とは独立して定義された通知要求であることを特徴とする請求項１又は２のステータス情報収集システム。
【請求項４】
前記ハブ装置は表示部を有し、前記収集したステータス情報を表示部に表示することを特徴とする請求項１又は２のステータス情報収集システム。
【請求項５】
表示部を有し前記ハブ装置に接続する端末装置を有し、ハブ装置が収集した前記ステータス情報を端末装置の送り端末装置の表示部に表示することを特徴とする請求項１又は２のステータス情報収集システム。
【請求項６】
バスの通信路を集線して接続するハブ装置と、ハブ装置と離れて設置されるバス接続装置とハブ装置との接続を中継するバスリピータ装置と、バス装置と接続する端末装置とを含むステータス情報収集システムであって、前記バスリピータ装置は、端末装置からハブ装置を介して送られる通知要求に従って自装置内の電源使用情報と温度情報とを含むステータス情報を生成して返送するバスリピータ制御部を有し、
前記端末装置は、ハブ装置を介して接続する全てのバスリピータ装置に対して通知要求を送り返送されたステータス情報を収集する監視部を有することを特徴とするステータス情報収集システム。
【請求項７】
バスの通信路を集線して接続するハブ装置と、ハブ装置と離れて設置されるバス接続装置とハブ装置との接続を中継するバスリピータ装置と、バス装置と接続する端末装置とを含むステータス情報収集システムであって、前記バスリピータ装置は、長距離接続するための長距離ポートでハブ装置と接続し、通常の距離で接続するための通常ポートでバス接続装置と接続し、端末装置からハブ装置を介して送られる通知要求に従って自装置内の電源使用情報と温度情報とを含むステータス情報を生成して返送するバスリピータ制御部を有し、
前記端末装置は、ハブ装置を介して接続する全てのバスリピータ装置に対して通知要求を送り返送されたステータス情報を収集する監視部を有することを特徴とするステータス情報収集システム。
【請求項８】
前記ハブ装置は、ＩＥＥＥ１３９４規格のバスを接続し、前記通知要求はＩＥＥＥ１３９４規格とは独立して定義された通知要求であることを特徴とする請求項６又は７のステータス情報収集システム。
【請求項９】
前記端末装置は表示部を有し、前記監視部が収集した前記ステータス情報を表示部に表示することを特徴とする請求項６又は７のステータス情報収集システム。
【請求項１０】
離れて設置されるバス接続装置との接続を中継するバスリピータ装置と接続し、接続する全てのバスリピータ装置に対して通知要求を送り、バスリピータ装置が通知要求に応じて生成した自装置内の電源使用情報と温度情報とを含むステータス情報を接続する全てのバスリピータ装置から収集することを特徴とするハブ装置。
【請求項１１】
表示部を有し、前記ステータス情報を一定間隔で収集して表示部に表示することを特徴とする請求項１０のハブ装置。
【請求項１２】
表示部を有する端末装置と接続し、前記ステータス情報を一定間隔で収集して端末装置に送信し表示部に表示するよう指示することを特徴とする請求項１０のハブ装置。
【請求項１３】
ＩＥＥＥ１３９４規格のバスを接続し、前記通知要求はＩＥＥＥ１３９４規格とは独立して定義された通知要求であることを特徴とする請求項１０、１１、又は１２のハブ装置。
【請求項１４】
長距離接続するための長距離ポートでバスの通信路を集線して接続するハブ装置と遠距離で接続し、通常の距離で接続するための通常ポートでバス接続装置と接続し、ハブ装置から送られる通知要求に従って自装置内の電源使用情報と温度情報とを含むステータス情報を生成して返送するバスリピータ制御部を有することを特徴とするバスリピータ装置。
【請求項１５】
長距離接続するための長距離ポートでバスの通信路を集線して接続するハブ装置と遠距離で接続し、通常の距離で接続するための通常ポートでバス接続装置と接続し、電源の供給をＡＣ電源とバッテリ電源とバス供給電源とから切り換えるとともにバッテリ電源からバッテリ残量情報を収集する電源切換部と、装置内温度を計測する温度計測部と、ハブ装置から通知要求を受けると電源切換部と温度計測部から使用電源情報とバッテリ残量情報と装置内温度情報とを含むステータス情報を収集して生成し返送するバスリピータ制御部とを有することを特徴とするバスリピータ装置。
【請求項１６】
前記長距離ポートを２つ以上有し、使用する長距離ポートを切り換える長距離ポート切換部を有することを特徴とする請求項１５のバスリピータ装置。
【請求項１７】
ＩＥＥＥ１３９４規格のバスを中継し、前記通知要求はＩＥＥＥ１３９４規格とは独立して定義された通知要求であることを特徴とする請求項１４、１５、又は１６のバスリピータ装置。
【発明の詳細な説明】
【０００１】
【発明の属する技術分野】
本発明は、バスリピータ装置のステータス情報収集システム、バスリピータ装置、及びハブ装置に関し、特にユーザから離れて設置しているＩＥＥＥ１３９４用のバスリピータ装置のステータス情報（バッテリ残量、電源使用状況、装置内温度などを含む）をユーザの駐在場所に設置された端末装置又はハブ装置で収集して表示する技術に関する。
【０００２】
【従来の技術】
従来、ＩＥＥＥ１３９４用のバスリピータ装置は、例えば、建物の外を監視するための監視用のカメラ等の映像情報等を建物内の監視室に設置される端末装置に表示するために監視用のカメラと端末装置とをＩＥＥＥ１３９４バスで中継する装置である。監視用のカメラと端末装置が近くにあれば直接接続可能であるが、監視用のカメラと端末装置とは数十メートルから数百メートルと遠距離に設置されることが多く、そのためにはＩＥＥＥ１３９４用のバスリピータ装置を中継する必要がある。
【０００３】
ＩＥＥＥ１３９４バスにてＩＥＥＥ１３９４規格で規定されているような致命的な障害（装置ストール、ケーブルの切断など）が発生した場合には、ＩＥＥＥ１３９４バスに接続されている端末装置で確認することができるが、ＩＥＥＥ１３９４用のバスリピータ装置内の異常を知らせる情報を含むステータス情報については、特に収集し表示する手段が無いか、又はＩＥＥＥ１３９４バスリピータ装置に取り付けた表示手段で表示するようにしていた。
【０００４】
例えば、特開２００１−３２０７８号公報によれば、ＩＥＥＥ１９３４バスのバスリセット発生後に複数の制御装置の中から１つユニットマネージャを決定し、このマネージャだけが全ての制御装置のステータス関連情報を収集して他の制御装置に伝える技術が示されているが、バスリピータ装置については記載されていない。
【０００５】
【発明が解決しようとする課題】
このように、従来の技術では、ＩＥＥＥ１３９４バスのバスリピータ装置のバッテリ残量低下や装置内温度が正常の範囲を超える温度異常のようなＩＥＥＥ１３９４規格以外のステータス情報は、ＩＥＥＥ１３９４バスに接続されている端末装置で収集し表示することはできないという問題があった。
【０００６】
また、ＩＥＥＥ１３９４用のバスリピータ装置がこのような装置状態の表示手段を備えているとしても、ＩＥＥＥ１３９４バスリピータ装置は一般的に管理者が駐在する場所から遠距離に置かれることが多く、ＩＥＥＥ１３９４バスリピータ装置のステータス情報をシステム監視者等のユーザが確認するのは時間がかかり、異常が発生した際の対応が遅れるという問題があった。
【０００７】
本発明の目的は、遠隔地に設置されるＩＥＥＥ１３９４用のバスリピータ装置のステータス情報をユーザの近くに設置された端末装置又はハブ装置によって収集・表示しユーザが異常を早期に発見できるようにしたバスリピータ装置のステータス情報収集システム、バスリピータ装置、及びハブ装置を提供することにある。
【０００８】
【課題を解決するための手段】
本発明の第１のステータス情報収集システムは、バスの通信路を集線して接続するハブ装置と、ハブ装置と離れて設置されるバス接続装置とハブ装置との接続を中継するバスリピータ装置とを含むステータス情報収集システムであって、
前記バスリピータ装置は、ハブ装置からの通知要求に従って自装置内の電源使用情報と温度情報とを含むステータス情報を生成して返送するバスリピータ制御部を有し、
前記ハブ装置は、接続する全てのバスリピータ装置に対して通知要求を送り返送されたステータス情報を収集する監視部を有することを特徴とする。
【０００９】
本発明の第２のステータス情報収集システムは、バスの通信路を集線して接続するハブ装置と、ハブ装置と離れて設置されるバス接続装置とハブ装置との接続を中継するバスリピータ装置とを含むステータス情報収集システムであって、
前記バスリピータ装置は、長距離接続するための長距離ポートでハブ装置と接続し、通常の距離で接続するための通常ポートでバス接続装置と接続し、ハブ装置からの通知要求に従って自装置内の電源使用情報と温度情報とを含むステータス情報を生成して返送するバスリピータ制御部を有し、
前記ハブ装置は、長距離ポートで各バスリピータ装置と接続し、一定間隔で接続する全てのバスリピータ装置に対して通知要求を送り返送されたステータス情報を収集する監視部を有することを特徴とする。
【００１０】
本発明の第３のステータス情報収集システムは、第１又は第２のステータス情報収集システムにおいて、前記ハブ装置はＩＥＥＥ１３９４規格のバスを接続し、前記通知要求はＩＥＥＥ１３９４規格とは独立して定義された通知要求であることを特徴とする。
【００１１】
本発明の第４のステータス情報収集システムは、第１又は第２のステータス情報収集システムにおいて、前記ハブ装置は表示部を有し、前記収集したステータス情報を表示部に表示することを特徴とする。
【００１２】
本発明の第５のステータス情報収集システムは、第１又は第２のステータス情報収集システムにおいて、表示部を有し前記ハブ装置に接続する端末装置を有し、ハブ装置が収集した前記ステータス情報を端末装置の送り端末装置の表示部に表示することを特徴とする。
【００１３】
本発明の第６のステータス情報収集システムは、バスの通信路を集線して接続するハブ装置と、ハブ装置と離れて設置されるバス接続装置とハブ装置との接続を中継するバスリピータ装置と、バス装置と接続する端末装置とを含むステータス情報収集システムであって、
前記バスリピータ装置は、端末装置からハブ装置を介して送られる通知要求に従って自装置内の電源使用情報と温度情報とを含むステータス情報を生成して返送するバスリピータ制御部を有し、
前記端末装置は、ハブ装置を介して接続する全てのバスリピータ装置に対して通知要求を送り返送されたステータス情報を収集する監視部を有することを特徴とする。
【００１４】
本発明の第７のステータス情報収集システムは、バスの通信路を集線して接続するハブ装置と、ハブ装置と離れて設置されるバス接続装置とハブ装置との接続を中継するバスリピータ装置と、バス装置と接続する端末装置とを含むステータス情報収集システムであって、
前記バスリピータ装置は、長距離接続するための長距離ポートでハブ装置と接続し、通常の距離で接続するための通常ポートでバス接続装置と接続し、端末装置からハブ装置を介して送られる通知要求に従って自装置内の電源使用情報と温度情報とを含むステータス情報を生成して返送するバスリピータ制御部を有し、
前記端末装置は、ハブ装置を介して接続する全てのバスリピータ装置に対して通知要求を送り返送されたステータス情報を収集する監視部を有することを特徴とする。
【００１５】
本発明の第８のステータス情報収集システムは、第６又は第７のステータス情報収集システムにおいて、前記ハブ装置は、ＩＥＥＥ１３９４規格のバスを接続し、前記通知要求はＩＥＥＥ１３９４規格とは独立して定義された通知要求であることを特徴とする。
【００１６】
本発明の第９のステータス情報収集システムは、第６又は第７のステータス情報収集システムにおいて、前記端末装置は表示部を有し、前記監視部が収集した前記ステータス情報を表示部に表示することを特徴とする。
【００１７】
本発明の第１のハブ装置は、離れて設置されるバス接続装置との接続を中継するバスリピータ装置と接続し、接続する全てのバスリピータ装置に対して通知要求を送り、バスリピータ装置が通知要求に応じて生成した自装置内の電源使用情報と温度情報とを含むステータス情報を接続する全てのバスリピータ装置から収集することを特徴とする。
【００１８】
本発明の第２のハブ装置は、第１のハブ装置において、表示部を有し、前記ステータス情報を一定間隔で収集して表示部に表示することを特徴とする。
【００１９】
本発明の第３のハブ装置は、第１のハブ装置において、表示部を有する端末装置と接続し、前記ステータス情報を一定間隔で収集して端末装置に送信し表示部に表示するよう指示することを特徴とする。
【００２０】
本発明の第４のハブ装置は、第１、第２、又は第３のハブ装置において、ＩＥＥＥ１３９４規格のバスを接続し、前記通知要求はＩＥＥＥ１３９４規格とは独立して定義された通知要求であることを特徴とする。
【００２１】
本発明の第１のバスリピータ装置は、長距離接続するための長距離ポートでバスの通信路を集線して接続するハブ装置と遠距離で接続し、通常の距離で接続するための通常ポートでバス接続装置と接続し、ハブ装置から送られる通知要求に従って自装置内の電源使用情報と温度情報とを含むステータス情報を生成して返送するバスリピータ制御部を有することを特徴とする。
【００２２】
本発明の第２のバスリピータ装置は、長距離接続するための長距離ポートでバスの通信路を集線して接続するハブ装置と遠距離で接続し、通常の距離で接続するための通常ポートでバス接続装置と接続し、電源の供給をＡＣ電源とバッテリ電源とバス供給電源とから切り換えるとともにバッテリ電源からバッテリ残量情報を収集する電源切換部と、装置内温度を計測する温度計測部と、ハブ装置から通知要求を受けると電源切換部と温度計測部から使用電源情報とバッテリ残量情報と装置内温度情報とを含むステータス情報を収集して生成し返送するバスリピータ制御部とを有することを特徴とする。
【００２３】
本発明の第３のバスリピータ装置は、第１のバスリピータ装置において、前記長距離ポートを２つ以上有し、使用する長距離ポートを切り換える長距離ポート切換部を有することを特徴とする。
【００２４】
本発明の第４のバスリピータ装置は、第１、第２、又は第３のバスリピータ装置において、ＩＥＥＥ１３９４規格のバスを中継し、前記通知要求はＩＥＥＥ１３９４規格とは独立して定義された通知要求であることを特徴とする。
【００２５】
【発明の実施の形態】
本発明の第１の実施の形態につき図面を参照して詳細に説明する。図１は本発明の第１の実施の形態のシステムの構成を示した図である。図１のシステムはユーザである監視員が駐在する場所に設置されたカメラ用モニタ装置４９から離れた場所に設置される監視用のカメラ４１をバスリピータ装置２０とハブ装置１０を介して接続し、カメラ４１の映像をカメラ用モニタ装置４９に表示して離れた場所の監視ができるようにしたシステムである。図１ではこれらの装置が示されているが、この他にもＩＥＥＥ１３９４バス接続機能を有する装置がハブ装置１０に接続されてもよい。
【００２６】
図１のシステムの構成は、ＩＥＥＥ１３９４バスのポートを複数有して通信路を集線し接続するハブ装置１０と、ハブ装置１０とＩＥＥＥ１３９４バスで接続される端末装置３０と、ハブ装置１０とＩＥＥＥ１３９４バスの長距離ポート２１で接続し遠距離に設置されるカメラ４１等との中継を行うバスリピータ装置２０（図では３つ）と、ハブ装置１０と接続しカメラ４１で撮影した映像を表示するカメラ用モニタ装置４９とを含んでいる。３つのバスリピータ装置２０はそれぞれカメラ４１、外部記憶装置４２、プリンタ４３と接続する。
【００２７】
端末装置３０は、表示部３１と図示しないがＩＥＥＥ１３９４バスとの接続機能とを有する例えばパーソナルコンピュータのようなホスト装置であり、ハブ装置１０から受信したバスリピータ装置２０のステータス情報を表示する表示部３１を有する。表示部３１は、例えば、液晶ディスプレイ装置やＣＲＴ装置のような表示装置であり、端末装置３０に一体化して組み込まれていても外部に接続して置かれていてもよいが、監視員から見やすい表示ができる大きさである。
【００２８】
ハブ装置１０は、光ファイバを使用したＩＥＥＥ１３９４バス用の長距離ポート１１とＩＥＥＥ１３９４用の通常ポート１２を複数有しＩＥＥＥ１３９４バスの通信路を集線して接続しバスの拡張を実現している。図１では長距離ポート１１が３つ、通常ポート１２が１つ示されているが、それぞれこれ以上備えているものとするが、特にポート数について限定するものではない。またハブ装置１０は、通常ポート１２と長距離ポート１１との間の信号を変換したり、カメラ４１から送られる映像情報を抽出してカメラ用モニタ装置４９へ送ったりハブ装置１０内の全体の制御を実行するハブ制御部１３を有する。
【００２９】
さらに、ハブ装置１０はバスリピータ装置２０のステータス情報を収集して表示する監視部１４と、監視部１４で収集したステータス情報を表示する表示部１５とを有している。表示部１５はハブ装置１０に組み込まれた小型のＬＣＤのような表示装置である。図示しないが、ハブ装置１０は操作用の入力手段を備えている。ハブ制御部１３の一部と監視部１４はプログラムで実現される。
【００３０】
バスリピータ装置２０は、ＩＥＥＥ１３９４バスとの接続機能を有するカメラ４１や外部記憶装置４２やプリンタ４３と、遠距離に設置されたハブ装置１０とを中継する装置であり、通常ポート２２でカメラ４１や外部記憶装置４２やプリンタ４３と接続し、長距離ポート２１でハブ装置１０と接続する。長距離ポート２には光ファイバケーブルで接続され数百メートルの遠隔地まで接続が可能であるが、通常ポート２２では数メートル程度の近距離で接続されるためバスリピータ装置２０はそれぞれカメラ４１や外部記憶装置４２やプリンタ４３の近くに設置される。
【００３１】
バスリピータ装置２０は、長距離ポート２１を２つ有しており長距離ポート切換部２３によって障害発生時に自動的に切換が行われる。また、バスリピータ装置２０はこの他に、長距離ポート切換部２３と通常ポート２２とを接続しバスを構成するバス制御部２４と、ＡＣ電源／バッテリ電源／通常ポート２２から供給される電源の中から使用する電源を自動的に切り換えるとともに電源の異常やバッテリの状態を取得する電源切換部２５と、装置内温度を検出する温度計測部２６と電源切換部２５からステータス情報を収集しハブ装置１０からの要求に応じてステータス情報を返却するバスリピータ制御部２７とを有する。バスリピータ制御部２７はプログラムで実現される。
【００３２】
図２はバスリピータ制御部２７が返却するステータス情報の一例を示す図である。図２を参照すれば、ステータス情報は、バスリピータ装置２０内の温度を示す装置内温度情報と、電源切換部２５がどの電源を使用しているかを示す電源使用情報と、それぞれの長距離ポート２１の正常・異常の状態とどちらの長距離ポート２１を使用しているかを示す長距離ポート情報と、バスリピータ装置２０が２重化された場合の待機状態等を示す装置制御情報と、バッテリの充電状態を示すバッテリ残量情報を含んでいる。
【００３３】
カメラ４１はハブ装置１０と離れた場所に設置される監視用の撮像装置でありＩＥＥＥ１３９４との接続機能を有し、通常撮影した映像をリピータ２０を介して端末装置３０へ送信する。外部記憶装置４２はハブ装置１０と離れた例えばマシン室等に設置され、端末装置３０に一時的に記録されたカメラ４１の映像データや収集したバスリピータ装置２０のステータス情報をユーザの指示により残す場合に使用される。プリンタ４３も同様にハブ装置１０と離れたところに設置され、端末装置３０に一時的に記録されたカメラ４１の映像データや収集したバスリピータ装置２０のステータス情報をユーザの指示により印刷する場合に使用される。
【００３４】
カメラ用モニタ装置４９は通常端末装置３０の近くに設置されカメラ４１で撮影した映像データをハブ装置１０から受信して表示する。ハブ装置１０との間の通信は特に限定しないが、ＲＳ２３２Ｃのような汎用のシリアルインターフェースでよい。
【００３５】
次に本発明の第１の実施の形態の動作について説明する。図３は本発明の第１の実施の形態の動作を示したフローチャートである。図３を参照すると、まずＩＥＥＥ１３９４上でバスリセットが発生する（Ｓ５１）。バスリセットは電源の投入時や、新たな装置がＩＥＥＥ１３９４バスに接続されたりＩＥＥＥ１３９４バスから装置が取り外された場合に発生しＩＥＥＥ１３９４バス構成が再構築される。この際、ＩＥＥＥ１３９４バス上での各装置のフィジカルＩＤを含むバス情報も再設定される。フィジカルＩＤは装置を識別するための情報であり、このＩＤによりバスリピータ装置２０を識別できる。
【００３６】
ハブ装置１０のハブ制御部１３はバスに接続されている装置全てに対して各装置の識別情報等を読み出すＧＵＩＤのリード要求を発行する（Ｓ５２）。各バスリピータ装置２０のバスリピータ制御部２７はＧＵＩＤのリード要求に応答してバスリピータ装置２０のフィジカルＩＤを含む応答データを返信する（Ｓ５３）。
【００３７】
ハブ制御部１３は全ての応答を受けると応答情データを基にバス情報を更新する（Ｓ５４）。バス情報の更新が終わりＩＥＥＥ１３９４バスが活性化されると監視部１４は、更新された新たなバス情報から全てのフィジカルＩＤを調べてバスリピータ装置２０が含まれているか判定し（Ｓ５５）、バスリピータ装置２０が含まれている場合は一定間隔で（Ｓ５６）、各バスリピータ装置２０に対してステータス情報の通知要求を発行する（Ｓ５７）。
【００３８】
各バスリピータ装置２０のバスリピータ制御部２７はステータス情報の通知要求を受信すると図３に示すようなステータス情報を電源切換部２５や温度計測部２６から収集してステータス情報を作成しハブ装置１０へ返信する（Ｓ５８）。
【００３９】
監視部１４は、ステータス情報を受信すると端末装置３０へステータス情報を送信し一時記憶と表示を指示するとともに、表示部１５の表示能力に合わせて受信したステータス情報の一部又は全部を各バスリピータ装置２０毎に表示する（Ｓ５９）。端末装置３０は指示を受けて、各バスリピータ装置２０のステータス情報を表示部３１へ表示し、図示しないが端末装置３０内部の記憶手段に一時記憶する。監視部１４は、ステップＳ５６〜Ｓ４９を一定間隔で繰り返す。
【００４０】
このように遠隔地に離れて設置された各バスリピータ装置２０のステータス情報を入手して表示することができるので、ユーザは、バスリピータ装置２０の電源の異常や温度異常等の異常が発生した場合即座に知ることができる。従って事前に対策を施すことが可能となり、システムの安定性を向上させることができる。
【００４１】
例えば、図１のバスリピータ装置２０とカメラ４１とのセットを２重化して接続するシステム構成と組み合わせることにより、使用側のバスリピータ装置２０に温度異常が発生した際に待機側のバスリピータ装置２０とカメラに切り換えることにより障害を未然に防ぐことができる。
【００４２】
以上の説明では、端末装置３０にステータス情報を表示するようにしたが、ハブ装置１０の表示部１５がステータス情報を表示できる大きさであれば端末装置３０が無くてもステータス情報の表示が十分可能であり、ハブ装置１０に収集したステータス情報を外部記憶装置４２やプリンタ４３に転送する機能および操作機能を付加すれば、端末装置３０が無くてもステータス情報の記録や印刷も可能である。
【００４３】
次に、本発明の第２の実施の形態について説明する。第２の実施の形態では、図１のハブ装置１０に代わって端末装置３０がステータス情報の収集と表示を行うようにした点に特徴がある。
【００４４】
図４は第２の実施の形態のシステムの構成を示した図である。図１と同じ機能のものには同じ番号を付与しているので、それらの説明は省略する。図４を参照すれば、第２の実施の形態のシステムは、ハブ装置６０、端末装置７０、バスリピータ装置２０、カメラ４１、外部記憶装置４２、プリンタ４３、及びカメラ用モニタ装置４９とを有する。
【００４５】
ハブ装置６０はハブ装置１０に設けた監視部１４と表示部１５とが無い点が異なる。ただし、バスリピータ装置２０のステータス情報を表示する目的以外で表示手段を設けるかもしれない。
【００４６】
端末装置７０は、ＩＥＥＥ１３９４の通常ポート１２を有してハブ装置６０と接続し、表示部３１と同様な表示部７１と、監視部７２とを有する。監視部７２は、ハブ装置１０の監視部１４の機能を含みプログラムで実現される。この他の図１と同じ番号の構成要素とバスリピータ装置２０のステータス情報は第１の実施の形態と同じである。
【００４７】
次に本発明の第２の実施の形態の動作を説明する。図５は第２の実施の形態の動作を示したフローチャートである。図５は図３のフローチャートと比べてハブ装置１０の代わりを端末装置７０で実行する点が異なる。ハブ装置６０はＩＥＥ１３９４バスを構成する機能を持つが、バスリピータ装置２０のステータス情報を収集する機能は持たない。
【００４８】
ステップＳ８１〜Ｓ８８はそれぞれ図３のステップＳ５１〜Ｓ５８に相当し、ステップＳ８１、Ｓ８２、Ｓ８４、Ｓ８６、Ｓ８７はハブ装置１０に代わって端末装置７０の監視部７２が実行すると読み替えることができるので、詳細な説明は省略する。
【００４９】
ステップＳ８９では、監視部７２はバスリピータ装置２０からの応答を受信し、受信したステータス情報を表示部７１へ表示する。また、受信したステータス情報は図示しないが端末装置７０が有する記憶手段に記録することができ、また外部記憶装置４２へ送信してそこに記録することもできるし、プリンタ４３へ送って印刷することもできる。なお、端末装置７０にプリンタを接続して印刷してもよい。
【００５０】
このように、第２の実施の形態においても、遠隔地に設置されたバスリピータ装置２０の状態を示すステータス情報をユーザが駐在する場所に設置された端末装置７０で確認できるので、異常を早期に発見することができ、適切な対策を施すことによりシステムを障害から防ぎ、システムの安定性を向上することができる。また、第２の実施の形態では、ハブ装置６０にはバスリピータ装置２０のステータス情報を収集するための特別な機能は不要なので、汎用のハブ装置を使用することができる。
【００５１】
以上のように第１及び第２の実施の形態ではＩＥＥＥ１９３４バスのリピータ装置について説明してきたが、本発明はＩＥＥＥ１９３４バスに限定するものではなくＩＥＥＥ１９３４バス以外のバスリピータ装置に対しても適用でき、遠隔地に設置されたバスリピータ装置のステータス情報を収集し表示することができる。
【００５２】
次に、第１及び第２の実施の形態におけるバスリピータ装置２０が有するもう１つの特長を説明する。バスリピータ装置２０の長距離ポート２１とハブ装置１０又はハブ装置６０の長距離ポート１１を２つずつ使用してハブ装置１０との間を２重化して接続する構成にすれば、一方の接続ケーブルにケーブル切断等の障害が発生した場合に、これをハブ装置１０、端末装置３０、又は端末装置７０が検出してバスリピータ装置２０に切換要求することにより、バスリピータ装置２０の長距離ポート切換部２３により長距離ポート２１の切換が実行され障害を回避できる。
【００５３】
この機能により、ケーブル障害が起きても長距離ポート２１の切換によって、バスリピータ装置２０のステータス情報をより確実に収集することが可能となる。特に数百メートルの距離を持つケーブルの障害では、ケーブルの交換工事に多くの時間・費用がかかるため、長距離ポートの切換機能は有効である。
【００５４】
【発明の効果】
以上説明したように本発明によれば、遠隔地に設置されたバスリピータ装置のステータス情報（バッテリ残量、電源使用状況、装置内温度などを含む）をユーザの近くに設置される装置で収集し表示することにより、ユーザはバスリピータ装置の異常を早期に知ることができるという効果がある。
【図面の簡単な説明】
【図１】本発明の第１の実施の形態のシステムの構成を示した図である。
【図２】バスリピータ装置２０のステータス情報の一例を示した図である。
【図３】本発明の第１の実施の形態のシステムの動作を示したフローチャートである。
【図４】本発明の第２の実施の形態のシステムの構成を示した図である。
【図５】本発明の第２の実施の形態のシステムの動作を示したフローチャートである。
【符号の説明】
１０　　ハブ装置
１１　　長距離ポート
１２　　通常ポート
１３　　ハブ制御部
１４　　監視部
１５　　表示部
２０　　バスリピータ装置
２１　　長距離ポート
２２　　通常ポート
２３　　長距離ポート切換部
２４　　バス制御部
２５　　電源切換部
２６　　温度計測部
２７　　バスリピータ制御部
３０　　端末装置
３１　　表示部
４１　　カメラ
４２　　外部記憶装置
４３　　プリンタ
４９　　カメラ用モニタ装置
６０　　ハブ装置
７０　　端末装置
７１　　表示部
７２　　監視部
【図１】
2004072211.tif 000003
【図２】
2004072211.tif 000004
【図３】
2004072211.tif 000005
【図４】
2004072211.tif 000006
【図５】
2004072211.tif 000007